(57)【要約】【課題】従来よりも見栄えの良いポケット付き編地とその編成方法を提供する。【解決手段】ベース編地部２と、袋状に繋がる一側ポケット部３Ｆと他側ポケット部３Ｂとを有し、ベース編地部２のコース方向の途中に繋がるポケット編地部３と、一側ポケット部３Ｆとベース編地部２との境界２３によって形成されるポケット編地部３の開口縁部４と、を備えるポケット付き編地１である。このポケット付き編地１では、開口縁部４の少なくとも一部が、開口縁部４の始端４ｂに対して、ベース編地部２のウエール方向にもコース方向にもずれた位置にあり、他側ポケット部３Ｂとベース編地部２とが、コース方向に繋ぎ目無く連続して編成されている。【選択図】図１
2019090144.tif 000002
【特許請求の範囲】
【請求項１】
ベース編地部と、
袋状に繋がる一側ポケット部と他側ポケット部とを有し、前記ベース編地部のコース方向の途中に繋がるポケット編地部と、
前記一側ポケット部と前記ベース編地部との境界によって形成される前記ポケット編地部の開口縁部と、を備えるポケット付き編地において、
前記開口縁部の少なくとも一部が、前記開口縁部の始端に対して、前記ベース編地部のウエール方向にもコース方向にもずれた位置にあり、
前記他側ポケット部と前記ベース編地部とが、コース方向に繋ぎ目無く連続して編成されているポケット付き編地。
【請求項２】
互いに対向する一側針床と他側針床を有する横編機を用いて、一側ベース部と他側ベース部とを有するベース編地部に対して、袋状に繋がる一側ポケット部と他側ポケット部とを有するポケット編地部を繋げるポケット付き編地の編成方法であって、
前記一側針床と前記他側針床を用いて、前記ベース編地部と前記ポケット編地部との接合位置まで前記ベース編地部と前記ポケット編地部とを独立して編成する工程Ａと、
前記接合位置で前記ベース編地部と前記ポケット編地部とを接合して、前記ポケット編地部の開口縁部の始端を形成する工程Ｂと、
前記ベース編地部と前記ポケット編地部とを編成しながら両者を繋げる工程Ｃと、を備えるポケット付き編地の編成方法において、
前記工程Ｃでは、
前記ベース編地部と前記ポケット編地部とをコース方向に連続して編成する一体編成を繰り返すことで、前記ベース編地部と前記ポケット編地部とを繋げて編成し、
前記一体編成の繰り返しの途中で、前記一側ポケット部と前記一側ベース部のいずれか一方を他方側に移動させ、前記一側ポケット部の接合側の端部編目と前記一側ベース部の接合側の端部編目とを接合する境界編成を行うポケット付き編地の編成方法。
【請求項３】
前記工程Ａにおいて、前記一側ベース部と前記他側ベース部とを、コース方向の一端側と他端側とで繋げて編成し、
前記工程Ｃにおいて、前記他側ポケット部の接合側と反対側の端部編目を前記一側ポケット部のコース方向の外側に移動させる回し込み、又は前記他側ベース部の接合側と反対側の端部編目を前記一側ベース部のコース方向の外側に移動させる回し込みを行う請求項２に記載のポケット付き編地の編成方法。
【請求項４】
前記工程Ａにおいて、前記ベース編地部のコース方向の一端側と他端側のそれぞれに、前記ポケット編地部を編成し、
前記工程Ｃにおいて、
前記境界編成として、前記一側ポケット部全体を前記一側ベース部の方向に移動させて、前記一側ポケット部の接合側の端部編目を前記一側ベース部の接合側の端部編目に接合し、
前記回し込みとして、前記他側ポケット部の接合側と反対側の端部編目を、前記一側ポケット部のコース方向の外側に移動させる請求項３に記載のポケット付き編地の編成方法。
【請求項５】
少なくとも一部の前記境界編成は、前記一側ポケット部の前記端部編目と前記一側ベース部の編目とを重ねる減らし編成である請求項２から請求項４のいずれか１項に記載のポケット付き編地の編成方法。
【請求項６】
少なくとも一部の前記境界編成は、前記一側ベース部と前記一側ポケット部とを接合する伏目処理である請求項２から請求項５のいずれか１項に記載のポケット付き編地の編成方法。
【請求項７】
前記工程Ｃの少なくとも一部で、前記一体編成を連続して行う請求項２から請求項６のいずれか１項に記載のポケット付き編地の編成方法。
【請求項８】
前記工程Ｃで前記一側ポケット部のウエール方向の終端部を構成する第一編目列と、前記他側ポケット部のウエール方向の終端部を構成する第二編目列とを前記ベース編地部に接合せずに残しておき、
前記第一編目列の少なくとも一部と、前記第二編目列の少なくとも一部と、を伏目処理によって接合する請求項２から請求項７のいずれか１項に記載のポケット付き編地の編成方法。
【請求項９】
前記工程Ｃで前記一側ポケット部のウエール方向の終端部を構成する第一編目列と、前記他側ポケット部のウエール方向の終端部を構成する第二編目列とを前記ベース編地部に接合せずに残しておき、
前記一側ベース部と前記一側ポケット部との境界で前記一側ポケット部を前記一側ベース部の内側に折り畳み、前記第一編目列の編目を順次前記一側ベース部の編目に重ねて接合し、
前記一側ポケット部と前記他側ポケット部との境界で前記他側ポケット部を前記一側ポケット部の折り畳み方向と反対方向に折り畳み、前記第二編目列の編目を順次前記一側ベース部の編目に重ねて接合する請求項２から請求項７のいずれか１項に記載のポケット付き編地の編成方法。
【発明の詳細な説明】
【技術分野】
【０００１】
本発明は、ベース編地部に、ポケットを構成するポケット編地部を形成したポケット付き編地とその編成方法に関する。
【背景技術】
【０００２】
カーディガンやセーター、パンツなどのベース編地部に袋状のポケット編地部を形成することが行われている。例えば、特許文献１には、ベース編地部とポケット編地部とを独立して編成しつつ、ベース編地部のコース方向端部とポケット編地部のコース方向端部とをインターシャ編成で接合する技術が開示されている。特許文献１ではさらに、ベース編地部の一側ベース部と他側ベース部とをコース方向にずらしながらポケット編地部をベース編地部に接合することで、ポケット編地部の開口縁部を傾斜させている。
【先行技術文献】
【特許文献】
【０００３】
【特許文献１】特許第５９５９５５５号公報
【発明の概要】
【発明が解決しようとする課題】
【０００４】
特許文献１の編成方法では、インターシャ編成でベース編地部とポケット編地部とを接合しているため、両編地部の編目の向きが異なり、両編地部の接合境界が目立ってしまう。また、接合境界の強度が他の部分の強度よりも低くなり易く、編成に使用する編糸の種類によっては接合境界で編糸が切れ易くなる恐れもある。さらに、特許文献１では、一側ベース部と他側ベース部とをコース方向にずらしながらポケット編地部を接合するため、開き部の無い筒状のベース編地部にポケット編地部を接合できないという課題もある。
【０００５】
上記事情に鑑み、本発明の目的の一つは、従来よりも見栄えの良いポケット付き編地とその編成方法を提供することにある。
【課題を解決するための手段】
【０００６】
本発明のポケット付き編地は、
ベース編地部と、
袋状に繋がる一側ポケット部と他側ポケット部とを有し、前記ベース編地部のコース方向の途中に繋がるポケット編地部と、
前記一側ポケット部と前記ベース編地部との境界によって形成される前記ポケット編地部の開口縁部と、を備えるポケット付き編地において、
前記開口縁部の少なくとも一部が、前記開口縁部の始端に対して、前記ベース編地部のウエール方向にもコース方向にもずれた位置にあり、
前記他側ポケット部と前記ベース編地部とが、コース方向に繋ぎ目無く連続して編成されている。
【０００７】
本発明のポケット付き編地の編成方法は、
互いに対向する一側針床と他側針床を有する横編機を用いて、一側ベース部と他側ベース部とを有するベース編地部に対して、袋状に繋がる一側ポケット部と他側ポケット部とを有するポケット編地部を繋げるポケット付き編地の編成方法であって、
前記一側針床と前記他側針床を用いて、前記ベース編地部と前記ポケット編地部との接合位置まで前記ベース編地部と前記ポケット編地部とを独立して編成する工程Ａと、
前記接合位置で前記ベース編地部と前記ポケット編地部とを接合して、前記ポケット編地部の開口縁部の始端を形成する工程Ｂと、
前記ベース編地部と前記ポケット編地部とを編成しながら両者を繋げる工程Ｃと、を備えるポケット付き編地の編成方法において、
前記工程Ｃでは、
前記ベース編地部と前記ポケット編地部とをコース方向に連続して編成する一体編成を繰り返すことで、前記ベース編地部と前記ポケット編地部とを繋げて編成し、
前記一体編成の繰り返しの途中で、前記一側ポケット部と前記一側ベース部のいずれか一方を他方側に移動させ、前記一側ポケット部の接合側の端部編目と前記一側ベース部の接合側の端部編目とを接合する境界編成を行う。
【０００８】
本発明のポケット付き編地の編成方法の一形態として、
前記工程Ａにおいて、前記一側ベース部と前記他側ベース部とを、コース方向の一端側と他端側とで繋げて編成し、
前記工程Ｃにおいて、前記他側ポケット部の接合側と反対側の端部編目を前記一側ポケット部のコース方向の外側に移動させる回し込み、又は前記他側ベース部の接合側と反対側の端部編目を前記一側ベース部のコース方向の外側に移動させる回し込みを行う形態を挙げることができる。
【０００９】
本発明のポケット付き編地の編成方法の一形態として、
前記工程Ａにおいて、前記ベース編地部のコース方向の一端側と他端側のそれぞれに、前記ポケット編地部を編成し、
前記工程Ｃにおいて、
前記境界編成として、前記一側ポケット部全体を前記一側ベース部の方向に移動させて、前記一側ポケット部の接合側の端部編目を前記一側ベース部の接合側の端部編目に接合し、
前記回し込みとして、前記他側ポケット部の接合側と反対側の端部編目を、前記一側ポケット部のコース方向の外側に移動させる形態を挙げることができる。
【００１０】
本発明のポケット付き編地の編成方法の一形態として、
少なくとも一部の前記境界編成は、前記一側ポケット部の前記端部編目と、前記一側ベース部の編目とを重ねる減らし編成である形態を挙げることができる。減らし編成は公知の編成技術である（例えば特開２００５−１１３３２９号公報など）。
【００１１】
本発明のポケット付き編地の編成方法の一形態として、
少なくとも一部の前記境界編成は、前記一側ベース部と前記一側ポケット部とを接合する伏目処理である形態を挙げることができる。伏目処理は公知の編成技術（例えば特開２０１５−１０２８４号公報など）であって、ここでは、一側ベース部と一側ポケット部をウエール方向に増やすことなく、目移しとニット編成とを用いて、一側ベース部の編目と一側ポケット部の編目とを接合して閉じる編成である。
【００１２】
本発明のポケット付き編地の編成方法の一形態として、
前記工程Ｃの少なくとも一部で、前記一体編成を連続して行う形態を挙げることができる。
【００１３】
本発明のポケット付き編地の編成方法の一形態として、
前記工程Ｃで前記一側ポケット部のウエール方向の終端部を構成する第一編目列と、前記他側ポケット部のウエール方向の終端部を構成する第二編目列とを前記ベース編地部に接合せずに残しておき、
前記第一編目列の少なくとも一部と、前記第二編目列の少なくとも一部と、を伏目処理によって接合する形態を挙げることができる。
【００１４】
本発明のポケット付き編地の編成方法の一形態として、
前記工程Ｃで前記一側ポケット部のウエール方向の終端部を構成する第一編目列と、前記他側ポケット部のウエール方向の終端部を構成する第二編目列とを前記ベース編地部に接合せずに残しておき、
前記一側ベース部と前記一側ポケット部との境界で前記一側ポケット部を前記一側ベース部の内側に折り畳み、前記第一編目列の編目を順次前記一側ベース部の編目に重ねて接合し、
前記一側ポケット部と前記他側ポケット部との境界で前記他側ポケット部を前記一側ポケット部の折り畳み方向と反対方向に折り畳み、前記第二編目列の編目を順次前記一側ベース部の編目に重ねて接合する形態を挙げることができる。
なお、「第二編目列の編目を一側ベース部の編目に重ねて接合する」には、「第二編目列の編目を、第一編目列の編目と一側ベース部の編目との重ね目に重ねて接合する」ことが含まれる。
【発明の効果】
【００１５】
本発明のポケット付き編地では、そのポケット編地部の開口縁部のデザイン性が高く、多様なニーズに応えることができる。例えば、ポケット編地部の開口縁部が斜めや、Ｌ型、円弧型となったポケット付き編地を挙げることができる。また、ポケット編地部の他側ポケット部とベース編地部との間に繋ぎ目がないため、見栄えが良い。
【００１６】
本発明のポケット付き編地の編成方法によれば、ポケット編地部を無縫製でベース編地部に一体に編成できる。しかも、境界編成によってポケット編地部の一側ポケット部とベース編地部の一側ベース部との境界を形成することで、その境界によって形成されるポケット編地部の開口縁部の形状を自由に変化させることができる。例えば、ポケット編地部の開口縁部を斜めや、Ｌ型、円弧型とすることができる。また、本発明のポケット付き編地の編成方法によれば、ポケット編地部の他側ポケット部とベース編地部との間に繋ぎ目が形成されないため、その点でもポケット付き編地の見栄えが良い。
【００１７】
工程Ａで一側ベース部と他側ベース部とをコース方向の一端側と他端側とで繋げると、工程Ｃで一側ベース部と一側ポケット部とを接合する境界編成の際に、一側針床と他側針床とでコース方向の編目数に差が生じる。他側ポケット部または他側ベース部の端部編目を回し込みすることで、上記編目数の差を解消でき、糸切れを防止できる。
【００１８】
工程Ａにおいて、ベース編地部のコース方向の両端部にポケット編地部を一つずつ形成し、工程Ｃで両ポケット編地部をベース編地部に接合することで、左右のポケット編地部を備えるポケット付き編地を編成できる。また、他側ポケット部の端部編目を回し込むことで、効率的に境界編成を行なうことができる。
【００１９】
減らし編成によって一側ベース部と一側ポケット部とを接合することで、ポケット編地部の開口縁部に、ベース編地部のコース方向とウエール方向の両方に交差する傾斜部を形成できる。
【００２０】
伏目処理によって一側ベース部と一側ポケット部とを接合することで、ポケット編地部の開口縁部に、ベース編地部のコース方向に平行な水平部を形成できる。
【００２１】
工程Ｃにおいて一体編成を連続して行なうことで、ポケット編地部の開口縁部に、ベース編地部のウエール方向に平行な垂直部を形成できる。
【００２２】
ベース編地部に接合せずに残されたポケット編地部のウエール方向の終端部の少なくとも一部を伏目処理することで、開口縁部の終端部においてポケット編地部のコース方向の奥行きを広げることができる。そのため、ポケットに手を入れたときに、指がポケット編地部の上端部に引っ掛かり難くできる。
【００２３】
一側ポケット部と他側ポケット部との境界が一側ベース部の内側に配置されるように一側ポケット部と他側ポケット部が折り畳まれて一側ベース部に接合されることで、ポケット編地部の終端部がしっかりと一側ベース部に固定される。そのため、ポケットに物や手を入れてもポケット編地部やベース編地部が型崩れし難い。
【図面の簡単な説明】
【００２４】
【図１】（Ａ）は実施形態に示すパンツ（ポケット付き編地）の概略図、（Ｂ）は（Ａ）のＢ−Ｂ断面図である。
【図２】図１（Ａ）のポケット付き編地の編成直後の状態を示す概略図である。
【図３】ポケット付き編地のポケット近傍の写真を示す図である。
【図４】（Ａ）〜（Ｃ）は、ポケット付き編地の編成方法を説明する編成工程のイメージ図である。
【図５】（Ａ）〜（Ｃ）は、ポケット編地部のウエール方向の終端部の処理方法を説明する説明図である。
【図６】（Ａ）〜（Ｄ）は、異なる形状の開口部を有するポケット付き編地の概略図である。
【図７】（Ａ）〜（Ｃ）は、実施形態２のポケット編地部のウエール方向の終端部の処理方法を説明する説明図である。
【発明を実施するための形態】
【００２５】
＜実施形態１＞
実施形態１では、本発明のポケット付き編地の一例として、図１，２に示すパンツ１を説明する。もちろん、本発明のポケット付き編地はパンツ１に限定されるわけではなく、その他のニットウェア、例えばカーディガンやセーターなどであっても良い。また、本発明のポケット付き編地は、自動車のシートカバーなどの産業資材であっても構わない。
【００２６】
図１に示すパンツ１は、筒状のベース編地部２と、ベース編地部２の内部に配置された状態でベース編地部２に繋がる袋状のポケット編地部３と、を備える。ベース編地部２は、着用者の前部を覆う前身頃（一側ベース部２Ｆ）と、着用者の後部を覆う後身頃（他側ベース部２Ｂ）と、が筒状に繋がることで形成されている。本例のベース編地部２には、ベース編地部２を左右に分離する開き部は形成されていないが、カーディガンの身頃のような開き部を有する筒状のベース編地部２であってもかまわない。図１，２の左右方向の矢印はベース編地部２のコース方向、上方向の矢印はベース編地部２のウエール方向を示している。
【００２７】
ポケット編地部３は、図１（Ｂ）に示すように、一側ポケット部３Ｆと他側ポケット部３Ｂとが袋状に繋がることで形成されており、一側ベース部２Ｆに開口している。ポケット編地部３の開口部以外の縁部、具体的には図１（Ａ）の点線で示す部分は全て閉じている。このポケット編地部３は、図２に示すように、ポケット編地部３の底となる部分を始端部３Ｓとして編成され、上方の終端部３Ｅで閉じられている。また、図２に示すように、ポケット編地部３の一側ポケット部３Ｆとベース編地部２の一側ベース部２Ｆとの間には減らし目などからなる境界２３が形成されている。その境界２３を折り目として、図１に示すように、ポケット編地部３はベース編地部２の内部に折り込まれており、当該境界２３がポケット編地部３の開口縁部４を形成している。一方、ポケット編地部３の他側ポケット部３Ｂとベース編地部２とは、コース方向に繋ぎ目無く連続して編成されている。そのため、図３の写真に示すように、ポケット編地部３の開口部近傍の見栄えが非常に優れている。
【００２８】
本例の開口縁部４は、その始端４ｂから終端４ｔに向うに従ってベース編地部２の中央側に傾斜する斜め形状（傾斜部のみからなる形状）となっている。つまり、少なくとも始端４ｂ以外の部分が、始端４ｂよりもベース編地部２のウエール方向にもコース方向にもずれた位置になっている。ここで、一側ベース部２Ｆにおける開口縁部４に近接する部分（開口縁部４に沿った細長い台形領域）には、その他の部分とは異なる組織柄として、開口縁部４を目立たせることもできる。
【００２９】
本例のパンツ１では、ポケット編地部３の編目の向きが、図１の矢印で示すウエール方向の向きと同じとなっている。つまり、ポケット編地部３の編目の向きと、ベース編地部２の編目の向きと、が揃っている。そのため、図３の写真に示すように、パンツ１の見栄えが非常に優れる。両編地部２，３の編目の向きが揃うのは、本例のパンツ１が、後述するポケット付き編地の編成方法によって編成されているからである。
【００３０】
以上説明したパンツ１の具体的な編成方法を図４、図５に基づいて説明する。パンツ１の編成に使用する横編機は、左右方向に延びかつ前後方向に互いに対向する一側針床と他側針床を有する２枚ベッド横編機や４枚ベッド横編機を利用することができる。これらの横編機では、一側針床と他側針床とが相対的にラッキング可能であり、一側針床と他側針床との間で編目の目移しを行うことができる。
【００３１】
図４（Ａ）に示すように、ベース編地部２とポケット編地部３との接合位置までベース編地部２とポケット編地部３とを独立して編成する（工程Ａ）。本例では、ベース編地部２の一側ベース部２Ｆを一側針床（以下、ＦＢ）で、他側ベース部２Ｂを他側針床（以下、ＢＢ）で編成する。また、ポケット編地部３の一側ポケット部３ＦをＦＢで、他側ポケット部３ＢをＢＢで編成する。両編地部２，３は独立しているため、その編成順序は問わない。
【００３２】
次いで、図４（Ａ）の矢印に示すように、接合位置でベース編地部２とポケット編地部３とを接合して、ポケット編地部３の開口縁部４の始端４ｂ（図１（Ａ））を形成する（工程Ｂ）。両編地部２，３を接合する方法は特に限定されない。
【００３３】
両編地部２，３の接合後は、図４（Ｂ），（Ｃ）に示すように、両編地部２，３を編成しながら両編地部２，３を繋げる（工程Ｃ）。具体的には、図４（Ｂ）に示すように、一側ポケット部３Ｆ全体を一側ベース部２Ｆの方向に移動させ、一側ポケット部３Ｆの接合側（ベース編地部２寄り）の端部編目を一側ベース部２Ｆの編目に接合する境界編成を行なう。本例では、境界編成として、一側ポケット部３Ｆの接合側の端部編目を、一側ベース部２Ｆの接合側の端部編目に重ねて、一側ポケット部３Ｆのコース方向の編目を減らす減らし編成を行なっている。
【００３４】
また、図４（Ｂ）では、他側ポケット部３Ｂの接合側と反対側の端部編目を、前記一側ポケット部３Ｆのコース方向の外側に移動させる回し込みを行なう。回し込みは、ＦＢとＢＢに係止されるコース方向の編目数をおおよそ揃えるために行なう。例えば、一側ポケット部３Ｆの編目を２つ減らすごとに、他側ポケット部３Ｂの編目を１つ回し込むことが挙げられる。
【００３５】
一側ポケット部３Ｆに回し込まれる他側ポケット部３Ｂの編目は捻り目とすることが好ましい。予め捻じられた編目である捻り目を対向する針床に目移しすると、捻じれが解れるため、ポケット編地部３の見栄えが向上する。捻り目の編成は公知の編成技術である（例えば特開平５−９８５１号公報参照）。
【００３６】
図４（Ｃ）では、ベース編地部２とポケット編地部３とをコース方向に連続して編成する一体編成を行なう。この一体編成の間に境界編成を行なえば、一側ベース部２Ｆと一側ポケット部３Ｆとの間に境界２３が形成された状態で両編地部２，３が成型される。このとき、ポケット編地部３の他側ポケット部３Ｂとベース編地部２とはコース方向に繋ぎ目無く連続する。
【００３７】
ここで、図４（Ｃ）の一体編成は、一方向に周回する周回編成であっても良いし、折り返し端を有するＣ字状編成であっても良い。図４（Ｂ）で回し込まれる左右の他側ポケット部３Ｂの編目を捻り目とするのであれば、パンツ１の仕上がりを良くするために、Ｃ字状に一体編成を行なう必要がある。本例の場合、一側ベース部２Ｆの中央（一点鎖線参照）を折り返し端とするＣ字状の一体編成を行なっている。
【００３８】
図４（Ｂ）の境界編成と図４（Ｃ）の一体編成を行なう回数は必要に応じて変化させることができる。また、図４（Ａ）の直後に行なう編成は、図４（Ｃ）の一体編成であってもかまわない。その他、図４（Ｂ）の減らし編成のみを行なってから図４（Ｃ）の一体編成を行い、その後、図４（Ｂ）の減らし編成と回し込みとを行なうこともできる。
【００３９】
図４（Ｂ）の編成と図４（Ｃ）の編成とを交互に繰り返すことで、一側ベース部２Ｆと一側ポケット部３Ｆとの境界２３が、一側ベース部２Ｆ上で斜めに形成される。境界２３には、一側ベース部２Ｆの編目に一側ポケット部３Ｆの接合側の端部編目を重ねた減らし目が並んだ状態になる。
【００４０】
次に、図５に示すパンツ１の各部を平面展開した型紙を参照し、ポケット編地部３のウエール方向の終端部の処理を説明する。図５では、パンツ１の左側（紙面上は右側）の一部のみを図示する。
【００４１】
図５（Ａ）は、一側ベース部２Ｆと一側ポケット部３Ｆとの境界２３の編成が終了した状態が示されている。型紙上では、境界２３における一側ベース部２Ｆと一側ポケット部３Ｆとは離隔しているが、実際には繋がっている。図５（Ａ）では、ポケット編地部３のウエール方向の終端部３Ｅはどこにも繋がっていない状態になっている。終端部３Ｅは、一側ポケット部３Ｆのウエール方向の終端部を構成する第一編目列３１と、他側ポケット部３Ｂのウエール方向の終端部を構成する第二編目列３２とに分けられる。
【００４２】
図５（Ｂ）では、一側ポケット部３Ｆの第一編目列３１と他側ポケット部３Ｂの第二編目列３２との境界側で、第一編目列３１の一部と第二編目列３２の一部とを伏目処理で接合する（ハッチング部分を参照）。両ポケット部３Ｆ，３Ｂの終端部である第一編目列３１と第二編目列３２とを伏目処理で接合することで、図１に示すように、開口縁部４の終端４ｔからパンツ１の中央に向って平行にポケット編地部３の空間が形成され、ポケット編地部３に手を入れたときに、指がポケット編地部３に引っ掛かり難くなる。
【００４３】
図５（Ｃ）では、終端部３Ｅのうち、図５（Ｂ）で伏目処理しなかった部分を折り畳んで、一側ベース部２Ｆにポケット編地部３を接合する。図５（Ｃ）の黒塗り部分は、図５（Ｂ）で伏目処理した部分を示す。三重部分の各部の状態を図５（Ｃ）の右側の丸囲み部分に示す。丸囲み部分に示すように、一側ベース部２Ｆの裏側に一側ポケット部３Ｆが重ねられ、さらにその一側ポケット部３Ｆの裏側に、他側ポケット部３Ｂが重ねられている。つまり、ポケット編地部３が一側ベース部２Ｆの内側に折り畳まれ、その折り畳まれた部分ごと一側ベース部２Ｆに接合される。そうすることで、開口縁部４の終端４ｔ（図１）に一側ベース部２Ｆと折り畳まれたポケット編地部３とで断面Ｓ状の襞が形成される。終端４ｔに襞を形成することで、終端４ｔの強度を向上させることができる。開口縁部４の終端４ｔは、ポケット編地部３の内部に手や物を挿入したときに大きな負荷がかかる部分である。襞によって終端４ｔの強度を向上させることで、終端４ｔの破断を抑制できるし、ポケット編地部３に手や物を入れたときのベース編地部２の型崩れを抑制できる。
【００４４】
ベース編地部２へのポケット編地部３の接合が終了したら、ベース編地部２の残部を編成し、パンツ１を完成させる。横編機で編成された直後のパンツ１は、図２に示すように、ベース編地部２の外側にポケット編地部３が露出した状態となっているため、ポケット編地部３をベース編地部２の内部に折り込むことで、図１のパンツ１を完成させることができる。
【００４５】
＜変形例＞
実施形態１に示すポケット付き編地の編成方法を応用することで、様々な形状の開口縁部４を有するポケット付き編地１を編成することができる。例えば、開口縁部４の形状は、図６（Ａ）に示す水平部と垂直部とがＬ型に繋がったＬ型形状であっても良いし、図６（Ｂ）に示す水平部と垂直部とが傾斜部で繋がった形状であっても良い。あるいは、図６（Ｃ）に示す円弧状の開口縁部４とすることもできる。
【００４６】
図６（Ａ）、（Ｂ）の水平部を編成するには、一体編成を休止し、一側ベース部２Ｆと一側ポケット部３Ｆとを接合する伏目処理を連続して行なうと良い。この場合、他側ポケット部３Ｂの編目を回し込む必要がある。また、図６（Ａ），（Ｂ）の垂直部を編成するには、ベース編地部２のコース方向の増減を行なうことなく、図４（Ｃ）に示す一体編成のみを連続して行うと良い。また、ベース編地部２とポケット編地部３の一体編成の途中でベース編地部２の一側ベース部２Ｆの編幅を増やすことで、図６（Ｃ）に示すように、終端部３Ｅ側に向かうに従ってベース編地部２のコース方向の外側に湾曲する開口縁部４を形成することができる。
【００４７】
ポケット編地部３の開口縁部４の形状は、図６（Ａ）〜（Ｃ）の例示に限定されるわけではない。上述した傾斜部、水平部、及び垂直部を組み合わせたり、引き返し編成などで一側ベース部２Ｆの接合側の縁部に緩い傾斜などを形成したりすれば、開口縁部４の形状は無限に変化させることができる。
【００４８】
また、ポケット編地部３の形状も特に限定されない。図６（Ｄ）に示すように、ポケット編地部３の内方側の側端を、ポケット編地部３の底に向うに従って内方側に傾斜する形状とすることが挙げられる。このようなポケット編地部３には手や物を挿入するときに、ポケット編地部３に手や物が引っ掛かり難く、ポケット編地部３に手や物が挿入し易い。このようなポケット編地部３は、ポケット編地部３のベース編地部２との接合側と反対側の端部近傍でポケット編地部３の編幅を減らすことで形成できる。
【００４９】
＜実施形態２＞
実施形態２では、ポケット編地部３のウエール方向の終端部３Ｅを全てベース編地部２に接合する例を図７に基づいて説明する。図７の見方は、図５とほぼ同じである。図７では、ＦＢとＢＢの位置を二点鎖線で示し、パンツ１の各部が係止される針床を明らかにしている。また、図７の黒丸は編目を示している。
【００５０】
一側ベース部２Ｆと一側ポケット部３Ｆとの境界２３の編成が終了した状態（図５（Ａ）の状態）から、図７に示す編成を開始する。図７（Ａ）では、一側ポケット部３ＦがＦＢに係止され、他側ポケット部３ＢがＢＢに係止された状態とする。図４を参照して既に説明したように、一側ベース部２Ｆと一側ポケット部３Ｆとの接合の際、他側ポケット部３Ｂの一部が一側ポケット部３Ｆ側（ＦＢ側）に回し込まれている（図４（Ｃ）参照）。そこで、実施形態２の図７（Ａ）では、他側ポケット部３ＢにおけるＦＢ側に係止されている部分を、円弧矢印で示すようにＢＢ側に回し込んで、他側ポケット部３Ｂ全体が一側ポケット部３Ｆに対向した状態に戻す。
【００５１】
図７（Ａ）では更に、一側ポケット部３Ｆと他側ポケット部３Ｂを、隣接する編目間（白抜き矢印で示す位置を参照）に空針を設けた針抜き状態とする。隣接する編目間の空針の数は、一つでも良いし、二つ以上であっても良い。一側ポケット部３Ｆ（他側ポケット部３Ｂ）を空針状態とするには、例えば、一側ポケット部３Ｆ（他側ポケット部３Ｂ）の隣接する編目同士を重ね合わせれば良い。
【００５２】
図７（Ｂ）では、一側ベース部２Ｆと一側ポケット部３Ｆとの境界２３で一側ポケット部３Ｆを一側ベース部２Ｆの内側に折り畳み、第一編目列３１の編目を順次一側ベース部２Ｆの編目に重ねる。具体的には、第一編目列３１における一側ベース部２Ｆ寄りの端部編目３１０を、その端部編目３１０の近傍にある一側ベース部２Ｆの接合対象編目２１０に重ねる操作を繰り返す。その繰り返しの際、編目を重ねる位置を徐々に一側ベース部２Ｆの編幅方向の内側にずらす。本例ではまず、第二編目列３２の編幅内にある空針に第一編目列３１を移動させる。そして、ＢＢを左方向にラッキングさせ、一側ベース部２Ｆにおける一側ポケット部３Ｆ寄りの端部にある接合対象編目２１０に端部編目３１０を目移しする。その結果、端部編目３１０を接合対象編目２１０に重ね合わせた重ね目が形成される。次いで、図中の端部編目３１０の右隣の編目を新たな端部編目３１０とし、接合対象編目２１０の二つ左隣の編目を新たな接合対象編目２１０として、ラッキングと端部編目３１０の目移しにより重ね目を形成する。これら端部編目３１０と接合対象編目２１０の再定義と重ね目の形成を、第一編目列３１の編目が無くなるまで行う。
【００５３】
ここで、ＢＢのラッキング量の制限を超えてしまう場合、一旦、ＢＢに係止される全ての編目をＦＢに預け、ＦＢに対して紙面左側にずれているＢＢを右方向に移動させ、ＦＢとＢＢとのずれ量を小さくすれば良い。そうすることで、ＢＢのラッキングと端部編目３１０の目移しによる重ね目の形成とを継続することができる。
【００５４】
図７（Ｃ）では、一側ポケット部３Ｆと他側ポケット部３Ｂとの境界で他側ポケット部３Ｂを一側ポケット部３Ｆの折り畳み方向と反対方向に折り畳み、第二編目列３２の編目を順次一側ベース部２Ｆの編目に重ねる。具体的には、第二編目列３２における第一編目列３１寄りの端部編目３２０を、その端部編目３２０の近傍にある一側ベース部２Ｆの接合対象編目２２０に重ねる操作を繰り返す。その繰り返しの際、編目を重ねる位置を徐々に一側ベース部２Ｆの編幅方向の外側にずらす。端部編目３２０を一側ベース部２Ｆの編目に重ねると、図中の端部編目３２０の左隣の編目が新たな端部編目３２０となる。ここで、端部編目３２０を重ねる一側ベース部２Ｆの接合対象編目２２０は、図７（Ｂ）で形成した重ね目（重ね目は一側ベース部２Ｆの編目を含む）でも良いし、その重ね目に隣接する編目でも良い。本例では重ね目に隣接する編目を接合対象編目２２０としている。本例とは異なり、重ね目を接合対象編目とする場合、３重の重ね目が形成されることになる。第二編目列３２の編目が無くなるまで、端部編目３２０と接合対象編目２２０とを重ねる操作を繰り返す。その結果、図７（Ｃ）の丸囲み部分に示すように、一側ベース部２Ｆの裏側に一側ポケット部３Ｆが重ねられ、さらにその一側ポケット部３Ｆの裏側に、他側ポケット部３Ｂが重ねられ、一側ベース部２Ｆと折り畳まれたポケット編地部３とで断面Ｓ状の襞が形成される。
【００５５】
図７（Ｃ）の処理が終わったら、重ね目を含むＦＢとＢＢに係止される全ての編目に筒状編成を行ってベース編地部２の残部を編成し、パンツ１を完成させる。その結果、一側ポケット部３Ｆと他側ポケット部３Ｂとの境界が一側ベース部２Ｆの内側に配置されるように一側ポケット部３Ｆと他側ポケット部３Ｂが折り畳まれた状態で、ポケット編地部３の終端部３Ｅが一側ベース部２Ｆに接合される。ポケット編地部３の終端部３Ｅ全体が一側ベース部２Ｆに接合されることで、ポケット編地部３に手や物を入れたときの荷重を終端部３Ｅ全体に分散させられる。そのため、ポケット編地部３の型崩れを抑制できる。
【００５６】
実施形態２の編成を行うにあたり、４枚ベッド横編機であれば、ベース編地部２を総針状態（隣接する編目間に空針が無い状態）で編成できる。２枚ベッド横編機であれば、ベース編地部２を１×１の針抜き状態（隣接する編目間に一つの空針が配置された状態）で編成できる。
【００５７】
＜実施形態３＞
一側ベース部と他側ベース部のコース方向の一方が繋がっていないベース編地部に対してポケット編地部を繋げる場合、回し込みを省略することができる。例えば、一側ベース部と他側ベース部のコース方向の一端側が繋がっており、他端側が繋がっていないベース編地部に対して、一端側にポケット編地部を接合する場合、一側ベース部を一側ポケット部に向って移動させ、一側ベース部と一側ポケット部とを接合する。目移しとラッキングを用いて、一端側で一側ベース部を一側ポケット部に移動させても、他端側で一側ベース部と他側ベース部とが繋がっていないので、他端側で糸切れの問題が生じないため、回し込みは必要ない。
【符号の説明】
【００５８】
１  ポケット付き編地（パンツ）
２  ベース編地部  ２３  境界
２Ｆ  一側ベース部  ２Ｂ  他側ベース部
２１０，２２０  接合対象編目
３  ポケット編地部
３Ｆ  一側ポケット部  ３Ｂ  他側ポケット部
３Ｅ  終端部  ３Ｓ  始端部
３１  第一編目列  ３２  第二編目列
３１０，３２０  端部編目
４  開口縁部  ４ｂ  始端  ４ｔ  終端
【図１】
2019090144.tif 000003
【図２】
2019090144.tif 000004
【図３】
2019090144.tif 000005
【図４】
2019090144.tif 000006
【図５】
2019090144.tif 000007
【図６】
2019090144.tif 000008
【図７】
2019090144.tif 000009